(57)【要約】      （修正有）【課題】収納部に収納されている貨幣の在高を再確認するような精査処理を行うにあたり、精査処理にかかる時間を短縮することができる貨幣処理装置および貨幣処理方法を提供する。【解決手段】貨幣処理装置（例えば、硬貨釣銭機１００）は、収納部（例えば、硬貨収納部１０６）内の貨幣（例えば、硬貨）の在高を確認するための特定の指令を受け付ける特定指令受付手段と、特定指令受付手段が特定の指令を受け付けたときに、第１搬送部（例えば、入金搬送部１０３）による貨幣の搬送および第２搬送部（例えば、出金搬送部１０８）による貨幣の搬送を並行して行わせるよう第１搬送部および第２搬送部を制御する制御部（例えば、硬貨釣銭機制御部１３０）とを備えている。【選択図】図５
2017054219.tif 000002
【特許請求の範囲】
【請求項１】
貨幣を入金するための入金部と、
貨幣を出金するための出金部と、
貨幣を収納する収納部と、
前記入金部により入金された貨幣を前記収納部に送る第１搬送部と、
前記収納部から前記出金部に貨幣を送る第２搬送部と、
前記収納部内の貨幣の在高を確認するための特定の指令を受け付ける特定指令受付手段と、
前記特定指令受付手段が前記特定の指令を受け付けたときに、前記第１搬送部による貨幣の搬送および前記第２搬送部による貨幣の搬送を並行して行わせるよう前記第１搬送部および前記第２搬送部を制御する制御部と、
を備えた、貨幣処理装置。
【請求項２】
前記入金部には、当該入金部に投入された貨幣を検知する検知部が設けられており、
前記制御部は、前記検知部により貨幣が検知されると前記第１搬送部を自動で動作させる、請求項１記載の貨幣処理装置。
【請求項３】
前記収納部は１または複数設けられており、
前記入金部には、当該入金部に投入された貨幣を検知する検知部が設けられており、
前記制御部は、少なくとも１つの前記収納部が空状態である場合において前記検知部により貨幣が検知されると前記第１搬送部を自動で動作させる、請求項１記載の貨幣処理装置。
【請求項４】
前記第１搬送部には当該第１搬送部により搬送される貨幣の識別を行う識別部が設けられている、請求項１乃至３のいずれか一項に記載の貨幣処理装置。
【請求項５】
前記第１搬送部による貨幣の搬送および前記第２搬送部による貨幣の搬送が並行して行われている場合において、前記第２搬送部により前記収納部から前記出金部に送られている貨幣の金種が前記識別部により識別されたときにこの識別された貨幣が前記出金部に送られるようになっている、請求項４記載の貨幣処理装置。
【請求項６】
前記識別部により搬送異常または識別異常であると識別された貨幣が前記出金部に送られるようになっている、請求項４または５記載の貨幣処理装置。
【請求項７】
前記識別部により貨幣の搬送異常が識別されたときには自動で異常解除が行われて前記第１搬送部による貨幣の搬送を再び行わせることができるようになっている、請求項６記載の貨幣処理装置。
【請求項８】
前記出金部の側面または底部分は開閉可能となっているとともに当該出金部には第１回収部が着脱自在に装着可能となっており、前記出金部の側面または底部分が開かれているときに前記第２搬送部によって前記収納部から前記出金部に送られた貨幣が前記第１回収部に収納される、請求項１乃至７のいずれか一項に記載の貨幣処理装置。
【請求項９】
前記第１回収部における貨幣の収納量は前記出金部における貨幣の収納量よりも大きくなっている、請求項８記載の貨幣処理装置。
【請求項１０】
前記第１回収部が前記出金部に装着されているか否かを検知する第１装着検知部を更に備え、
前記制御部は、前記特定指令受付手段が前記特定の指令を受け付けたときに、前記第１回収部が前記出金部に装着されていないことが前記第１装着検知部により検知された場合には前記第２搬送部を動作させない、請求項８または９記載の貨幣処理装置。
【請求項１１】
前記出金部は筐体に着脱自在に装着可能となっており、前記筐体における前記出金部を取り外した箇所に第２回収部が着脱自在に装着可能となっており、前記筐体に前記第２回収部が装着されているときに前記第２搬送部によって前記収納部から前記第２回収部に貨幣が送られる、請求項１乃至７のいずれか一項に記載の貨幣処理装置。
【請求項１２】
前記第２回収部における貨幣の収納量は前記出金部における貨幣の収納量よりも大きくなっている、請求項１１記載の貨幣処理装置。
【請求項１３】
前記第２回収部が前記筐体に装着されているか否かを検知する第２装着検知部を更に備え、
前記制御部は、前記特定指令受付手段が前記特定の指令を受け付けたときに、前記第２回収部が前記筐体に装着されていないことが前記第２装着検知部により検知された場合には前記第２搬送部を動作させない、請求項１１または１２記載の貨幣処理装置。
【請求項１４】
前記収納部は複数設けられており、
前記制御部は、複数の前記収納部のうち収納されている貨幣の在高が不確定である前記収納部のみについて、当該収納部から前記第２搬送部により前記出金部に貨幣を送る動作および前記入金部により入金された貨幣を前記第１搬送部により当該収納部に送る動作を並行して行わせるよう前記第１搬送部および前記第２搬送部を制御する、請求項１乃至１３のいずれか一項に記載の貨幣処理装置。
【請求項１５】
貨幣を入金するための入金部と、貨幣を出金するための出金部と、貨幣を収納する収納部とを備えた貨幣処理装置による貨幣処理方法であって、
前記収納部内の貨幣の在高を確認するための特定の指令を特定指令受付手段により受け付ける工程と、
前記特定指令受付手段が前記特定の指令を受け付けたときに、前記収納部から前記出金部に貨幣を送る動作および前記入金部により入金された貨幣を前記収納部に送る動作を並行して行わせる工程と、
を備えた、貨幣処理方法。
【発明の詳細な説明】
【技術分野】
【０００１】
本発明は、貨幣の入金処理や出金処理等の様々な処理を行う貨幣処理装置およびこのような貨幣処理装置による貨幣処理方法に関する。
【背景技術】
【０００２】
スーパーマーケットやコンビニエンスストア等の店舗においてＰＯＳレジスタ等の上位端末に接続されて釣銭としての貨幣を自動的に払い出す貨幣釣銭機として様々なタイプのものが従来から知られている。例えば、特許文献１に開示される貨幣釣銭機では、筐体内で貨幣の詰まり等のトラブルが発生することにより収納部に収納されている貨幣の在高が不明確となった場合には、収納部に収納されている貨幣を全て筐体の外部に投出して回収した後に回収された貨幣を全て再入金し、識別部による識別結果に基づいて貨幣の在高を再確認するような精査処理が行われるようになっている。
【先行技術文献】
【特許文献】
【０００３】
【特許文献１】特開２０１３−１６０５８号公報
【発明の概要】
【発明が解決しようとする課題】
【０００４】
しかしながら、特許文献１に開示される貨幣釣銭機では、収納部に収納されている貨幣の在高が不明確となった場合に、収納部に収納されている貨幣を金種毎に筐体の外部に投出して回収し、全ての金種の貨幣を回収した後に各金種の貨幣の再入金を行っていたため、精査処理に時間がかかるという問題があった。
【０００５】
本発明は、このような点を考慮してなされたものであり、収納部に収納されている貨幣の在高を再確認するような精査処理を行うにあたり、収納部に収納されている貨幣を金種毎に筐体の外部に投出して回収し、全ての金種の貨幣を回収した後に各金種の貨幣の再入金を行う場合と比較して、精査処理にかかる時間を短縮することができる貨幣処理装置および貨幣処理方法を提供することを目的とする。
【課題を解決するための手段】
【０００６】
本発明の貨幣処理装置は、貨幣を入金するための入金部と、貨幣を出金するための出金部と、貨幣を収納する収納部と、前記入金部により入金された貨幣を前記収納部に送る第１搬送部と、前記収納部から前記出金部に貨幣を送る第２搬送部と、前記収納部内の貨幣の在高を確認するための特定の指令を受け付ける特定指令受付手段と、前記特定指令受付手段が前記特定の指令を受け付けたときに、前記第１搬送部による貨幣の搬送および前記第２搬送部による貨幣の搬送を並行して行わせるよう前記第１搬送部および前記第２搬送部を制御する制御部と、を備えたことを特徴とする。
【０００７】
このような貨幣処理装置によれば、収納部に収納されている貨幣の在高を再確認するような精査処理を行うにあたり、収納部内の貨幣の在高を確認するための特定の指令を特定指令受付手段が受け付けたときに、収納部から出金部に貨幣を送る動作および入金部により入金された貨幣を収納部に送る動作を並行して行わせることにより、収納部に収納されている貨幣を金種毎に筐体の外部に投出して回収し、全ての金種の貨幣を回収した後に各金種の貨幣の再入金を行う場合と比較して、精査処理にかかる時間を短縮することができる。
【０００８】
本発明の貨幣処理装置においては、前記入金部には、当該入金部に投入された貨幣を検知する検知部が設けられており、前記制御部は、前記検知部により貨幣が検知されると前記第１搬送部を自動で動作させるようになっていてもよい。
【０００９】
あるいは、前記収納部は１または複数設けられており、前記入金部には、当該入金部に投入された貨幣を検知する検知部が設けられており、前記制御部は、少なくとも１つの前記収納部が空状態である場合において前記検知部により貨幣が検知されると前記第１搬送部を自動で動作させるようになっていてもよい。
【００１０】
本発明の貨幣処理装置においては、前記第１搬送部には当該第１搬送部により搬送される貨幣の識別を行う識別部が設けられていてもよい。
【００１１】
また、前記第１搬送部による貨幣の搬送および前記第２搬送部による貨幣の搬送が並行して行われている場合において、前記第２搬送部により前記収納部から前記出金部に送られている貨幣の金種が前記識別部により識別されたときにこの識別された貨幣が前記出金部に送られるようになっていてもよい。
【００１２】
また、前記識別部により搬送異常または識別異常であると識別された貨幣が前記出金部に送られるようになっていてもよい。
【００１３】
また、前記識別部により貨幣の搬送異常が識別されたときには自動で異常解除が行われて前記第１搬送部による貨幣の搬送を再び行わせることができるようになっていてもよい。
【００１４】
本発明の貨幣処理装置においては、前記出金部の側面または底部分は開閉可能となっているとともに当該出金部には第１回収部が着脱自在に装着可能となっており、前記出金部の側面または底部分が開かれているときに前記第２搬送部によって前記収納部から前記出金部に送られた貨幣が前記第１回収部に収納されるようになっていてもよい。
【００１５】
この場合、前記第１回収部における貨幣の収納量は前記出金部における貨幣の収納量よりも大きくなっていてもよい。
【００１６】
また、本発明の貨幣処理装置は、前記第１回収部が前記出金部に装着されているか否かを検知する第１装着検知部を更に備え、前記制御部は、前記特定指令受付手段が前記特定の指令を受け付けたときに、前記第１回収部が前記出金部に装着されていないことが前記第１装着検知部により検知された場合には前記第２搬送部を動作させないようになっていてもよい。
【００１７】
本発明の貨幣処理装置においては、前記出金部は筐体に着脱自在に装着可能となっており、前記筐体における前記出金部を取り外した箇所に第２回収部が着脱自在に装着可能となっており、前記筐体に前記第２回収部が装着されているときに前記第２搬送部によって前記収納部から前記第２回収部に貨幣が送られるようになっていてもよい。
【００１８】
この場合、前記第２回収部における貨幣の収納量は前記出金部における貨幣の収納量よりも大きくなっていてもよい。
【００１９】
また、本発明の貨幣処理装置は、前記第２回収部が前記筐体に装着されているか否かを検知する第２装着検知部を更に備え、前記制御部は、前記特定指令受付手段が前記特定の指令を受け付けたときに、前記第２回収部が前記筐体に装着されていないことが前記第２装着検知部により検知された場合には前記第２搬送部を動作させないようになっていてもよい。
【００２０】
本発明の貨幣処理装置においては、前記収納部は複数設けられており、前記制御部は、複数の前記収納部のうち収納されている貨幣の在高が不確定である前記収納部のみについて、当該収納部から前記第２搬送部により前記出金部に貨幣を送る動作および前記入金部により入金された貨幣を前記第１搬送部により当該収納部に送る動作を並行して行わせるよう前記第１搬送部および前記第２搬送部を制御するようになっていてもよい。
【００２１】
本発明の貨幣処理方法は、貨幣を入金するための入金部と、貨幣を出金するための出金部と、貨幣を収納する収納部とを備えた貨幣処理装置による貨幣処理方法であって、前記収納部内の貨幣の在高を確認するための特定の指令を特定指令受付手段により受け付ける工程と、前記特定指令受付手段が前記特定の指令を受け付けたときに、前記収納部から前記出金部に貨幣を送る動作および前記入金部により入金された貨幣を前記収納部に送る動作を並行して行わせる工程と、を備えたことを特徴とする。
【００２２】
このような貨幣処理方法によれば、収納部に収納されている貨幣の在高を再確認するような精査処理を行うにあたり、収納部内の貨幣の在高を確認するための特定の指令を特定指令受付手段が受け付けたときに、収納部から出金部に貨幣を送る動作および入金部により入金された貨幣を収納部に送る動作を並行して行わせることにより、収納部に収納されている貨幣を金種毎に筐体の外部に投出して回収し、全ての金種の貨幣を回収した後に各金種の貨幣の再入金を行う場合と比較して、精査処理にかかる時間を短縮することができる。
【発明の効果】
【００２３】
本発明の貨幣処理装置および貨幣処理方法によれば、収納部に収納されている貨幣の在高を再確認するような精査処理を行うにあたり、収納部に収納されている貨幣を金種毎に筐体の外部に投出して回収し、全ての金種の貨幣を回収した後に各金種の貨幣の再入金を行う場合と比較して、精査処理にかかる時間を短縮することができる。
【図面の簡単な説明】
【００２４】
【図１】本発明の実施の形態によるレジユニットが設置された店舗の構成の概略を示す概略構成図である。
【図２】図１に示す店舗のフロント領域の精算所に設置されたレジユニットにおける貨幣釣銭機（貨幣処理装置）およびＰＯＳレジスタの構成を示す斜視図である。
【図３】図２に示すレジユニットの構成の概略を示す概略構成図である。
【図４】図２に示すレジユニットの制御系の構成を示す機能ブロック図である。
【図５】図２に示すレジユニットの硬貨釣銭機において硬貨の精査処理が行われる際の硬貨の流れを示す説明図である。
【図６】（ａ）は、図２に示すレジユニットの硬貨釣銭機における本実施の形態による硬貨の精査処理の内容を示す表であり、（ｂ）は、従来の硬貨の精査処理の内容を示す表である。
【図７】変形例に係るレジユニットにおける貨幣釣銭機（貨幣処理装置）の構成を示す斜視図である。
【図８】図７に示すレジユニットの制御系の構成を示す機能ブロック図である。
【図９】更に別の変形例に係るレジユニットにおける貨幣釣銭機（貨幣処理装置）の構成を示す斜視図である。
【図１０】図９に示すレジユニットの制御系の構成を示す機能ブロック図である。
【発明を実施するための形態】
【００２５】
以下、図面を参照して本発明の実施の形態について説明する。図１乃至図６は、本実施の形態による貨幣釣銭機（貨幣処理装置）およびこのような貨幣釣銭機を備えたレジユニットを示す図である。このうち、図１は、本実施の形態によるレジユニットが設置された店舗の構成の概略を示す概略構成図であり、図２は、図１に示す店舗のフロント領域の精算所に設置されたレジユニットにおける貨幣釣銭機（貨幣処理装置）およびＰＯＳレジスタの構成を示す斜視図であり、図３は、図２に示すレジユニットの構成の概略を示す概略構成図である。また、図４は、図２に示すレジユニットの制御系の構成を示す機能ブロック図である。また、図５は、図２に示すレジユニットの硬貨釣銭機において硬貨の精査処理が行われる際の硬貨の流れを示す説明図であり、図６（ａ）は、図２に示すレジユニットの硬貨釣銭機における本実施の形態による硬貨の精査処理の内容を示す表である。なお、図６（ｂ）は、従来の硬貨の精査処理の内容を示す表である。
【００２６】
図１に示すように、スーパーマーケットやコンビニエンスストア等の店舗１０において、顧客が立ち入ることができるフロント領域１２には様々な商品が陳列された商品棚１４が設置されているとともに、このフロント領域１２の精算所１６にはレジユニット１８が設置されている。後述するように、レジユニット１８は、硬貨釣銭機１００、紙幣釣銭機２００およびＰＯＳレジスタ３００等から構成されている（図２等参照）。顧客がこのような精算所１６で精算処理を行う際に、店員は、顧客から受け取った商品の代金としての貨幣をレジユニット１８の硬貨釣銭機１００や紙幣釣銭機２００に入金したり、釣銭としての貨幣を硬貨釣銭機１００や紙幣釣銭機２００から出金して顧客に返却したりするようになっている。また、このような店舗１０における顧客の立ち入りが禁止されたバックヤード領域２０には、硬貨釣銭機１００や紙幣釣銭機２００から回収された売上金としての貨幣が入金される売上入金機２２が設置されている。売上入金機２２に入金された売上金としての貨幣は、警送会社の収集担当者により回収されて当該警送会社の管理センターに運搬されるようになっている。
【００２７】
フロント領域１２の精算所１６に設置されたレジユニット１８の構成の詳細について図２乃至図４を用いて説明する。なお、前述したように、図２は、レジユニット１８における硬貨釣銭機１００、紙幣釣銭機２００およびＰＯＳレジスタ３００の構成を示す斜視図であり、図３は、図２に示すレジユニット１８の内部構成の概略を示す概略構成図であり、図４は、図２に示すレジユニット１８の制御系の構成を示す機能ブロック図である。
【００２８】
図２等に示すように、レジユニット１８は、硬貨釣銭機１００と、紙幣釣銭機２００と、ＰＯＳレジスタ３００とを備えており、硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並べて配置される。そして、ＰＯＳレジスタ３００は、硬貨釣銭機１００および紙幣釣銭機２００の上方に配置される。以下、硬貨釣銭機１００および紙幣釣銭機２００をまとめて貨幣釣銭機ともいう。なお、本実施の形態では、硬貨釣銭機１００および紙幣釣銭機２００を組み合わせた貨幣釣銭機により、本発明に係る貨幣処理装置が構成されている。また、本実施の形態のレジユニット１８において、ＰＯＳレジスタ３００は、貨幣釣銭機（具体的には、硬貨釣銭機１００および紙幣釣銭機２００）の管理を行う管理装置として機能するようになる。
【００２９】
また、図３および図４に示すように、ＰＯＳレジスタ３００は店舗サーバ５００に通信可能に接続されている。そして、ＰＯＳレジスタ３００から店舗サーバ５００に売上金情報等が送信されるようになっている。また、各種設定情報が、店舗サーバ５００からＰＯＳレジスタ３００（複数台でも可）に配信されるようになっている。
【００３０】
図３および図４に示すように、硬貨釣銭機１００は、上位制御部１２０および硬貨釣銭機制御部１３０を有しており、これらの上位制御部１２０および硬貨釣銭機制御部１３０は互いに接続されている。また、紙幣釣銭機２００は、紙幣釣銭機制御部２３０を有しており、この紙幣釣銭機制御部２３０は硬貨釣銭機１００の上位制御部１２０に通信可能に接続されている。また、ＰＯＳレジスタ３００もＰＯＳ制御部３３０を有しており、硬貨釣銭機１００の上位制御部１２０はＰＯＳレジスタ３００のＰＯＳ制御部３３０に通信可能に接続されている。なお、図３および図４に示す例では、上位制御部１２０が硬貨釣銭機１００に設けられている態様が示されているが、このような例に限定されることはない。本実施の形態による貨幣釣銭機の他の例として、硬貨釣銭機ではなく紙幣釣銭機に上位制御部が設けられていてもよく、あるいは硬貨釣銭機および紙幣釣銭機の両方に上位制御部がそれぞれ設けられていてもよい。
【００３１】
以下、硬貨釣銭機１００、紙幣釣銭機２００およびＰＯＳレジスタ３００の各々の構成について図２および図３を用いて詳述する。
【００３２】
まず、硬貨釣銭機１００の構成について具体的に説明する。図２および図３に示すように、硬貨釣銭機１００は、前部上面にタッチパネル等の操作表示部１１２が設けられた筐体１１０を備えている。なお、図２および図４に示す例では、操作表示部１１２が硬貨釣銭機１００に設けられている場合についての態様について述べたが、このような例に限定されることはない。本実施の形態による貨幣釣銭機の他の例として、硬貨釣銭機ではなく紙幣釣銭機に操作表示部が設けられていてもよく、あるいは硬貨釣銭機および紙幣釣銭機の両方に操作表示部がそれぞれ設けられていてもよい。また、筐体１１０の前部には硬貨受入部１１４および硬貨払出部１１６がそれぞれ設けられている。
【００３３】
また、図３に示すように、この硬貨受入部１１４には、当該硬貨受入部１１４により機体内に取り込まれた硬貨を搬送する入金搬送部１０３が接続されている。ここで、硬貨受入部１１４には、当該硬貨受入部１１４に投入された硬貨を１枚ずつ入金搬送部１０３に繰り出す繰出部として搬送ベルト等が設けられている。また、硬貨受入部１１４には、当該硬貨受入部１１４内に硬貨が残留するか否かを検知する光センサ等の残留検知センサ１１４ａ（図３参照）が設けられている。そして、硬貨釣銭機１００において硬貨の入金処理が行われる際に、硬貨受入部１１４内に硬貨が存在することが残留検知センサ１１４ａにより検知されると繰出部としての搬送ベルトが駆動され、硬貨受入部１１４に受け入れられた硬貨が１枚ずつ搬送ベルトにより入金搬送部１０３に繰り出されるようになる。
【００３４】
図３に示すように、入金搬送部１０３の途中箇所には、硬貨の金種、真偽、正損、新旧、搬送状態等の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を入金搬送部１０３から出金搬送部１０８に分岐させるようになっている。
【００３５】
一方、正常硬貨等の機体内に収納されるべき硬貨は入金搬送部１０３により各硬貨収納部１０６へ搬送されるようになっている。各硬貨収納部１０６は硬貨を金種別に収納するようになっている。具体的には、例えば入金搬送部１０３の上流側から高額順に硬貨が収納される。
【００３６】
出金搬送部１０８は、各硬貨収納部１０６から繰り出された硬貨を硬貨払出部１１６へ搬送するようになっている。また、出金搬送部１０８は、分岐部１０４により入金搬送部１０３から分岐させられたリジェクト硬貨等も硬貨払出部１１６へ搬送するようになっている。
【００３７】
なお、本発明では、入金搬送部１０３を第１搬送部として扱い、出金搬送部１０８を第２搬送部として扱う。
【００３８】
図２および図３に示すように、硬貨払出部１１６には、当該硬貨払出部１１６から硬貨を抜き取ろうとする操作者の手を検知する抜き取り検知センサ１１６ａが設けられている。具体的には、抜き取り検知センサ１１６ａは発光素子および受光素子を含む光センサからなり、発光素子から発せられた光が、硬貨払出部１１６から硬貨を抜き取ろうとする操作者の手によって遮られて受光素子により受けられなくなったときに、この操作者の手が抜き取り検知センサ１１６ａにより検知されるようになる。
【００３９】
次に、紙幣釣銭機２００の構成について具体的に説明する。図２および図３に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４および紙幣回収カセット２０７が、周回搬送部２０３ａを外側から取り囲むように配置されている。
【００４０】
また、紙幣釣銭機２００の筐体２１０の内部には、紙幣受入部２１４、各紙幣収納部２０６、紙幣払出部２１６、出金リジェクト部２０４および紙幣回収カセット２０７の各々と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の金種、真偽、正損、新旧、搬送状態等の識別を行うようになっている。
【００４１】
また、周回搬送部２０３ａと各接続搬送部２０３ｂとの間で紙幣の搬送経路を切り換える経路切換部（図示せず）が、周回搬送部２０３ａに沿って配置されている。
【００４２】
図２および図３に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に設置されている。
【００４３】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより筐体２１０の外部へ放出するようになっている。
【００４４】
出金リジェクト部２０４は、紙幣の出金処理が行われる際に紙幣収納部２０６から繰り出された紙幣のうち、斜行等の搬送異常により紙幣識別部２０１で正常に識別することができない紙幣を出金リジェクト紙幣として収納する。また、紙幣受入部２１４から機体内に取り込まれた紙幣のうち、汚損等により紙幣識別部２０１で正常に識別することができない紙幣は入金リジェクト紙幣として紙幣払出部２１６に返却されるようになっている。
【００４５】
紙幣回収カセット２０７は筐体２１０の前面から引き出すことにより当該筐体２１０の外部に取り出すことができるようになっている。
【００４６】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４７】
ＰＯＳレジスタ３００のＰＯＳ制御部３３０は、図３に示すように、硬貨釣銭機１００の上位制御部１２０に通信可能に接続されているとともに、店舗サーバ５００にも通信可能に接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００４８】
操作部３０４は、店員が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の在高を表示するようになっている。また、ＰＯＳレジスタ３００には顧客向けの追加の表示部３０２ａが設けられており、様々な情報を表示部３０２に表示させる代わりに、あるいは表示部３０２における表示に加えて、追加の表示部３０２ａにおいて顧客向けの表示が行われるようになっている。また、ＰＯＳレジスタ３００にはカードリーダライタ３３６および印字部３３８が設けられている（図４参照、図２および図３では図示せず）。カードリーダライタ３３６は、店員のＩＤカードを読み取ることにより店員のＩＤや権限等に関する情報を取得するようになっている。また、印字部３３８は例えばプリンタから構成され、取引内容を印字したり（通常の取引レシート）、硬貨釣銭機１００や紙幣釣銭機２００の在高等の様々な情報を印字したりするようになっている。
【００４９】
また、図２等に示すように、ＰＯＳレジスタ３００には、商品棚１４に陳列される商品に付されたバーコードの情報を読み取るバーコードスキャナ３５０が設けられている。
【００５０】
図４は、上述のような構成からなるレジユニット１８の制御系の構成を示す制御ブロック図である。図４に示すように、硬貨釣銭機１００の上位制御部１２０には、硬貨釣銭機１００のインターフェース１３２、操作表示部１１２および記憶部１３４がそれぞれ接続されている。この上位制御部１２０は、インターフェース１３２により、紙幣釣銭機２００の紙幣釣銭機制御部２３０およびＰＯＳレジスタ３００のＰＯＳ制御部３３０に対して信号の送受信を行うようになっている。また、店員により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の在高が表示されるようになっている。また、記憶部１３４には、硬貨釣銭機１００や紙幣釣銭機２００における硬貨や紙幣の処理履歴や、硬貨釣銭機１００や紙幣釣銭機２００の在高等の様々な情報が記憶されるようになっている。
【００５１】
また、硬貨釣銭機１００の上位制御部１２０には、硬貨釣銭機１００の各硬貨収納部１０６や紙幣釣銭機２００の各紙幣収納部２０６に収納されている硬貨や紙幣の在高を確認するための特定の指令を受け付ける特定指令受付手段１４０が接続されている。このような特定指令受付手段１４０の機能の詳細については後述する。
【００５２】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６等がそれぞれ接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。
【００５３】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００５４】
また、ＰＯＳレジスタ３００のＰＯＳ制御部３３０には、表示部３０２、操作部３０４、記憶部３３４、インターフェース３３２、カードリーダライタ３３６、印字部３３８等がそれぞれ接続されており、店員によって操作部３０４により入力された指令が当該操作部３０４からＰＯＳ制御部３３０に送られたり、カードリーダライタ３３６により読み取られた店員のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。また、ＰＯＳ制御部３３０は、表示部３０２に様々な情報を表示させる代わりに、あるいは表示部３０２における表示に加えて、追加の表示部３０２ａにおいて顧客向けの表示を行わせるようになっている。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ５００に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の在高等の様々な情報が記憶されるようになっている。
【００５５】
次に、このような構成からなるレジユニット１８の動作、具体的には硬貨釣銭機１００や紙幣釣銭機２００において硬貨や紙幣の入金処理や出金処理を行う際の動作について以下に説明する。
【００５６】
まず、硬貨釣銭機１００において硬貨の入金処理を行う場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により入金搬送部１０３から出金搬送部１０８に分岐させられ、当該出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００５７】
次に、硬貨釣銭機１００において硬貨の出金処理を行う場合の動作について以下に説明する。硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００５８】
なお、硬貨釣銭機１００において硬貨の出金処理が行われる際に、出金されるべき全ての硬貨が出金搬送部１０８により硬貨払出部１１６に送られる前に、当該硬貨払出部１１６から硬貨を抜き取ろうとする操作者の手が抜き取り検知センサ１１６ａにより検知された場合には、硬貨釣銭機１００の操作表示部１１２やＰＯＳレジスタ３００の表示部３０２において警告メッセージが表示されるようになっている。硬貨釣銭機１００において硬貨の出金処理が行われる際に、出金されるべき各金種の硬貨のうちある金種の硬貨が出金搬送部１０８により硬貨払出部１１６に送られるのに時間がかかってしまい、当該硬貨が硬貨払出部１１６に送られる前に操作者が硬貨払出部１１６から出金硬貨を抜き取ってしまうおそれがある。この場合には、釣銭としての硬貨の一部を操作者が硬貨払出部１１６から抜き取り忘れてしまうという問題が生じてしまう。これに対し、出金されるべき全ての硬貨が出金搬送部１０８により硬貨払出部１１６に送られる前に、当該硬貨払出部１１６から硬貨を抜き取ろうとする操作者の手が抜き取り検知センサ１１６ａにより検知された場合に、硬貨釣銭機１００の操作表示部１１２やＰＯＳレジスタ３００の表示部３０２において警告メッセージを表示させることにより、残りの硬貨が硬貨払出部１１６にこれから送られることを操作者が認識することができるようになるため、釣銭としての全ての硬貨を操作者が硬貨払出部１１６から確実に抜き取ることができるようになる。なお、このような技術的事項は、後述する硬貨の精査処理において各硬貨収納部１０６から金種毎に硬貨が出金搬送部１０８により硬貨払出部１１６に送られる場合にも適用されるようになっている。
【００５９】
次に、紙幣釣銭機２００において紙幣の入金処理が行われる際の動作について説明する。紙幣釣銭機２００の紙幣受入口２１４ａに紙幣が投入されると、紙幣受入部２１４は、紙幣受入口２１４ａに投入された入金紙幣を一括で取り込んで、接続搬送部２０３ｂを介して周回搬送部２０３ａに紙幣を１枚ずつ繰り出す。そして、周回搬送部２０３ａに繰り出された紙幣は当該周回搬送部２０３ａにより搬送され、この際に紙幣識別部２０１により紙幣の識別が行われる。
【００６０】
紙幣識別部２０１により識別が行われた紙幣のうち正常な紙幣であると判別された紙幣は、その金種に対応する各紙幣収納部２０６に送られ、これらの紙幣収納部２０６に収納される。具体的には、ある紙幣収納部２０６には千円札が収納され、別の紙幣収納部２０６には二千円札および五千円札が混合状態で収納され、更に別の紙幣収納部２０６には一万円札が収納される。一方、紙幣識別部２０１による識別結果により正常な紙幣ではないと判別された紙幣は入金リジェクト紙幣として周回搬送部２０３ａおよび接続搬送部２０３ｂにより紙幣払出部２１６に搬送され、この紙幣払出部２１６に集積される。そして、紙幣受入口２１４ａに投入された入金紙幣が全て各紙幣収納部２０６または紙幣払出部２１６に送られた後、紙幣払出部２１６に集積された入金リジェクト紙幣が紙幣取出口２１６ａに送られる。このことにより、操作者は、入金リジェクト紙幣を紙幣取出口２１６ａから取り出して紙幣受入部２１４の紙幣受入口２１４ａに再投入することができるようになる。
【００６１】
次に、紙幣釣銭機２００において紙幣の出金処理が行われる際の動作について以下に説明する。出金される紙幣の合計金額あるいは金種別の枚数等を含む出金処理の開始指令がＰＯＳレジスタ３００の操作部３０４や硬貨釣銭機１００の操作表示部１１２により上位制御部１２０に入力されると、各紙幣収納部２０６に収納されている紙幣が１枚ずつ接続搬送部２０３ｂに繰り出され、この接続搬送部２０３ｂから周回搬送部２０３ａに紙幣が受け渡される。周回搬送部２０３ａに送られた紙幣は当該周回搬送部２０３ａで少なくとも１周回るよう搬送され、この際に紙幣識別部２０１により紙幣の金種、真偽、正損、新旧、搬送状態等の識別が行われる。紙幣識別部２０１により識別が行われた紙幣のうち正常な紙幣であると判別された紙幣は紙幣払出部２１６に搬送され、この紙幣払出部２１６に集積される。一方、紙幣識別部２０１による識別結果により正常な紙幣ではないと判別された紙幣（例えば、重送や斜行等の搬送異常の紙幣）は出金リジェクト紙幣として周回搬送部２０３ａおよび接続搬送部２０３ｂにより出金リジェクト部２０４に搬送され、この出金リジェクト部２０４に集積される。出金リジェクト部２０４に集積された出金リジェクト紙幣は、店舗１０の店長や管理者等の所定の権限を有する者が紙幣釣銭機２００の筐体２１０から本体部分を手前側に引き出すことにより出金リジェクト部２０４から取り出すことができるようになる。そして、出金されるべき紙幣が各紙幣収納部２０６から紙幣払出部２１６に送られた後、紙幣払出部２１６に集積された紙幣が一括して紙幣取出口２１６ａに送られる。このことにより、操作者は、出金紙幣を紙幣取出口２１６ａから取り出すことができるようになる。
【００６２】
また、本実施の形態による貨幣釣銭機では、硬貨釣銭機１００の各硬貨収納部１０６や紙幣釣銭機２００の各紙幣収納部２０６に収納されている硬貨や紙幣の在高を確認するような貨幣の精査処理を行うことができるようになっている。ここで、本実施の形態では、硬貨釣銭機１００において硬貨の精査処理を行うにあたり、各硬貨収納部１０６に収納されている硬貨を金種毎に出金する動作、および出金された硬貨を再入金して硬貨識別部１０１により識別させた後に各硬貨収納部１０６に金種毎に収納させる動作を並行して行うことができるようになっている。このような硬貨釣銭機１００による硬貨の精査処理の詳細について以下に説明する。
【００６３】
操作者が硬貨釣銭機１００の操作表示部１１２やＰＯＳレジスタ３００の操作部３０４により硬貨の精査処理開始の指令を入力すると、特定指令受付手段１４０は、硬貨釣銭機１００の各硬貨収納部１０６や紙幣釣銭機２００の各紙幣収納部２０６に収納されている硬貨や紙幣の在高を確認するための特定の指令を受け付けるようになる。そして、特定指令受付手段１４０がこのような特定の指令を受け付けると、硬貨釣銭機１００および紙幣釣銭機２００の各々において硬貨や紙幣の精査処理が行われるようになる。具体的には、硬貨釣銭機１００において、まず、５００円硬貨に対応する硬貨収納部１０６から５００円硬貨が全て出金される。より詳細には、５００円硬貨に対応する硬貨収納部１０６（図３や図５における最も下側に位置する硬貨収納部１０６）から５００円硬貨が出金搬送部１０８に繰り出され、この出金搬送部１０８に繰り出された５００円硬貨は当該出金搬送部１０８により硬貨払出部１１６に搬送される。このことにより、操作者は硬貨払出部１１６から５００円硬貨を取り出すことができるようになる。
【００６４】
次に、図５および図６（ａ）の表に示すように、１００円硬貨に対応する硬貨収納部１０６からの１００円硬貨の出金（すなわち、回収）および前工程で出金された５００円硬貨の再入金（すなわち、補充）が並行して行われるようになる。具体的には、１００円硬貨に対応する硬貨収納部１０６（図３や図５における下から２番目に位置する硬貨収納部１０６）から１００円硬貨が出金搬送部１０８に繰り出され、この出金搬送部１０８に繰り出された１００円硬貨は当該出金搬送部１０８により硬貨払出部１１６に搬送される。このことにより、操作者は硬貨払出部１１６から１００円硬貨を取り出すことができるようになる。また、操作者により５００円硬貨が硬貨受入部１１４に投入されると、この硬貨受入部１１４に設けられた搬送ベルト等の繰出部により５００円硬貨が硬貨受入部１１４から入金搬送部１０３に１枚ずつ繰り出され、この入金搬送部１０３により５００円硬貨が搬送されるようになる。この際に、入金搬送部１０３により搬送される５００円硬貨は硬貨識別部１０１によりその金種、真偽、正損、新旧、搬送状態等の識別が行われる。ここで、出金搬送部１０８により硬貨収納部１０６から硬貨払出部１１６に送られている硬貨の金種が硬貨識別部１０１により識別されたときには（具体的には硬貨識別部１０１により識別された硬貨の金種が１００円であった場合には）、硬貨識別部１０１により識別された硬貨は分岐部１０４により入金搬送部１０３から出金搬送部１０８に分岐させられ、この分岐させられた硬貨は出金搬送部１０８により硬貨払出部１１６に搬送される。１００円硬貨に対応する硬貨収納部１０６からの１００円硬貨の出金および５００円硬貨の再入金を並行して行うにあたり、硬貨払出部１１６に搬送された１００円硬貨を操作者が当該硬貨払出部１１６から取り出した後にそのまま硬貨受入部１１４に誤って投入してしまう場合があるが、このような場合には硬貨受入部１１４に投入された１００円硬貨を再び硬貨払出部１１６に送ることにより、１００円硬貨が硬貨収納部１０６に収納されてしまうことを防止することができるようになる。また、５００円硬貨の再入金を行う際に硬貨識別部１０１により搬送異常または識別異常であると識別された硬貨も、分岐部１０４により入金搬送部１０３から出金搬送部１０８に分岐させられ、この分岐させられた硬貨は出金搬送部１０８により硬貨払出部１１６に搬送される。このことにより、搬送異常または識別異常であると識別された硬貨が硬貨収納部１０６に収納されてしまうことを防止することができるようになる。ここで、硬貨識別部１０１により硬貨の搬送異常が識別されたときには自動で異常解除が行われて入金搬送部１０３による硬貨の搬送を再び行わせることができるようになっていてもよい。硬貨識別部１０１により搬送異常であると識別された硬貨は識別異常ではないため、自動で異常解除を行うことにより、硬貨受入部１１４に再投入された硬貨を硬貨収納部１０６へ収納させることができるようになる。また、５００円硬貨の再入金を行う際に硬貨識別部１０１により正常であると識別された硬貨は入金搬送部１０３により５００円硬貨に対応する硬貨収納部１０６に送られ、この硬貨収納部１０６に収納されるようになる。
【００６５】
その後、図６（ａ）の表に示すように、５０円硬貨に対応する硬貨収納部１０６からの５０円硬貨の出金（すなわち、５０円硬貨の回収）および前工程で出金された１００円硬貨の再入金（すなわち、１００円硬貨の補充）が並行して行われるようになる。また、その後に、１０円硬貨に対応する硬貨収納部１０６からの１０円硬貨の出金（すなわち、１０円硬貨の回収）および前工程で出金された５０円硬貨の再入金（すなわち、５０円硬貨の補充）が並行して行われるようになる。また、その後に、５円硬貨に対応する硬貨収納部１０６からの５円硬貨の出金（すなわち、５円硬貨の回収）および前工程で出金された１０円硬貨の再入金（すなわち、１０円硬貨の補充）が並行して行われるようになる。また、その後に、１円硬貨に対応する硬貨収納部１０６からの１円硬貨の出金（すなわち、１円硬貨の回収）および前工程で出金された５円硬貨の再入金（すなわち、５円硬貨の補充）が並行して行われるようになる。また、その後に、前工程で出金された１円硬貨の再入金（すなわち、１円硬貨の補充）が行われるようになる。そして、１円硬貨の再入金が完了すると、硬貨釣銭機１００における硬貨の一連の精査処理が完了する。
【００６６】
なお、図２および図３に示すような構成の硬貨釣銭機１００における従来技術の硬貨の精査処理について図６（ｂ）の表を用いて説明する。従来技術の硬貨の精査処理では、各硬貨収納部１０６に収納されている硬貨を金種毎に筐体１１０の外部に投出して回収し、全ての金種の硬貨を回収した後に各金種の硬貨の再入金（すなわち、各金種の硬貨の補充）を行っていた。このため、図６（ａ）の表に示すような本実施の形態による硬貨の精査処理と比較して、精査処理に時間がかかるという問題があった。また、従来技術の硬貨の精査処理では、全ての金種の硬貨を回収した後に各金種の硬貨の再入金を行うため、各硬貨収納部１０６から筐体１１０の外部に投出されて回収された硬貨の取り置きスペースが大きくなってしまうという問題があったが、本実施の形態による硬貨の精査処理では、硬貨収納部１０６から筐体１１０の外部に投出されて回収された硬貨をすぐに硬貨受入部１１４に投入して再入金するようになるため、回収された硬貨の取り置きスペースを小さくすることができる。
【００６７】
また、本実施の形態による硬貨の精査処理が行われる際に、硬貨釣銭機制御部１３０は、残留検知センサ１１４ａにより硬貨が検知されると繰出部としての搬送ベルトを駆動するとともに入金搬送部１０３を自動で動作させるようになっている。このことにより、硬貨受入部１１４に硬貨が投入されると自動で各硬貨収納部１０６への硬貨の補充を行うことができるようになる。なお、本実施の形態による硬貨の精査処理はこのような例に限定されることはない。本実施の形態による硬貨の精査処理の他の例として、硬貨釣銭機制御部１３０は、少なくとも１つの硬貨収納部１０６が空状態である場合において残留検知センサ１１４ａにより硬貨が検知されると繰出部としての搬送ベルトを駆動するとともに入金搬送部１０３を自動で動作させるようになっていてもよい。全ての硬貨収納部１０６が空状態ではない場合には、硬貨の精査処理において筐体１１０の外部に回収されるべき硬貨が各硬貨収納部１０６に残っている可能性があるため、このような硬貨収納部１０６に硬貨を補充してしまうと硬貨の精査処理の結果に違算等が生じてしまうおそれがあるからである。
【００６８】
なお、上記の説明では、全ての硬貨収納部１０６について当該硬貨収納部１０６に収納されている硬貨の在高を確認するための精査処理を行う例について述べたが、本実施の形態による硬貨の精査処理はこのような例に限定されることはない。他の例として、複数の硬貨収納部１０６のうち収納されている硬貨の在高が不確定である硬貨収納部１０６のみについて硬貨の精査処理が行われるようになっていてもよい。このような例では、硬貨釣銭機制御部１３０は、複数の硬貨収納部１０６のうち収納されている硬貨の在高が不確定である硬貨収納部１０６のみについて、硬貨収納部１０６に収納されている硬貨を金種毎に出金する動作、および出金された硬貨を再入金して硬貨識別部１０１により識別させた後に硬貨収納部１０６に金種毎に収納させる動作を並行して行わせるよう入金搬送部１０３および出金搬送部１０８を制御するようになる。
【００６９】
また、本実施の形態では、硬貨釣銭機１００において硬貨の精査処理を行う前における各硬貨収納部１０６に収納されている硬貨の在高と、硬貨の精査処理を行うことにより判明した各硬貨収納部１０６に収納されている硬貨の在高とが一致しない場合には、硬貨釣銭機１００において硬貨の精査処理が再び行われるようになっていてもよい。また、硬貨釣銭機１００において硬貨の精査処理を行う前におけるある１つのまたは複数の硬貨収納部１０６に収納されている硬貨の在高と、硬貨の精査処理を行うことにより判明した当該硬貨収納部１０６に収納されている硬貨の在高とが一致しない場合には、硬貨の在高が一致しない硬貨収納部１０６のみについて硬貨の精査処理が再び行われるようになっていてもよい。
【００７０】
次に、紙幣釣銭機２００の各紙幣収納部２０６に収納されている紙幣の在高を確認するような紙幣の精査処理について簡単に説明する。図３等に示すような構成の紙幣釣銭機２００では、各紙幣収納部２０６に収納されている紙幣を金種毎に出金する動作、および出金された紙幣を再入金して紙幣識別部２０１により識別させた後に各紙幣収納部２０６に金種毎に収納させる動作において、周回搬送部２０３ａが共用されるようになるため、上記の２つの動作を並行して行うことができない。このため、紙幣の精査処理を行うにあたり、各紙幣収納部２０６に収納されている紙幣を金種毎に筐体２１０の外部に投出して回収し、全ての金種の紙幣を回収した後に各金種の紙幣の再入金を行う必要がある。しかしながら、変形例に係る紙幣釣銭機において、紙幣受入部に受け入れられた紙幣を紙幣収納部に送る入金搬送部および紙幣収納部から紙幣払出部に紙幣を送る出金搬送部が別々に設けられている場合には、各紙幣収納部に収納されている紙幣を金種毎に出金する動作、および出金された紙幣を再入金して紙幣識別部により識別させた後に各紙幣収納部に金種毎に収納させる動作を並行して行うことができるようになる。この場合には、変形例に係る紙幣釣銭機に設けられた紙幣釣銭機制御部は、特定指令受付手段１４０が特定の指令を受け付けたときに、入金搬送部による紙幣の搬送および出金搬送部による紙幣の搬送を並行して行わせるよう入金搬送部および出金搬送部を制御するようになる。
【００７１】
以上のような構成からなる本実施の形態の貨幣釣銭機（貨幣処理装置）によれば、硬貨釣銭機１００の各硬貨収納部１０６や紙幣釣銭機２００の各紙幣収納部２０６に収納されている硬貨や紙幣の在高を確認するための特定の指令を受け付ける特定指令受付手段１４０が設けられているとともに、硬貨釣銭機制御部１３０は、特定指令受付手段１４０が特定の指令を受け付けたときに、第１搬送部としての入金搬送部１０３による硬貨の搬送および第２搬送部としての出金搬送部１０８による硬貨の搬送を並行して行わせるよう入金搬送部１０３および出金搬送部１０８の制御を行うようになっている。このような貨幣釣銭機によれば、各硬貨収納部１０６に収納されている硬貨の在高を再確認するような精査処理を行うにあたり、各硬貨収納部１０６内の硬貨の在高を確認するための特定の指令を特定指令受付手段１４０が受け付けたときに、硬貨収納部１０６から硬貨払出部１１６（すなわち、出金部）に硬貨を送る動作および硬貨受入部１１４（すなわち、入金部）により筐体１１０の外部から内部に投入された硬貨を硬貨収納部１０６に送る動作を並行して行わせることにより、硬貨収納部１０６に収納されている硬貨を金種毎に筐体１１０の外部に投出して回収し、全ての金種の硬貨を回収した後に各金種の硬貨の再入金を行う場合と比較して、精査処理にかかる時間を短縮することができる。また、従来技術の硬貨の精査処理では、全ての金種の硬貨を回収した後に各金種の硬貨の再入金を行うため、各硬貨収納部１０６から筐体１１０の外部に投出されて回収された硬貨の取り置きスペースが大きくなってしまうという問題があったが、本実施の形態による硬貨の精査処理では、硬貨収納部１０６から筐体１１０の外部に投出されて回収された硬貨をすぐに硬貨受入部１１４に投入して再入金するようになるため、回収された硬貨の取り置きスペースを小さくすることができる。
【００７２】
また、本実施の形態の貨幣釣銭機（貨幣処理装置）においては、上述したように、入金部として機能する硬貨受入部１１４には、当該硬貨受入部１１４に投入された硬貨を検知する検知部として残留検知センサ１１４ａが設けられており、硬貨釣銭機制御部１３０は、残留検知センサ１１４ａにより硬貨が検知されると入金搬送部１０３を自動で動作させるようになっている。あるいは、硬貨釣銭機制御部１３０は、少なくとも１つの硬貨収納部１０６が空状態である場合において残留検知センサ１１４ａにより硬貨が検知されると入金搬送部１０３を自動で動作させるようになっていてもよい。
【００７３】
また、本実施の形態の貨幣釣銭機（貨幣処理装置）においては、上述したように、入金搬送部１０３には当該入金搬送部１０３により搬送される硬貨の識別を行う硬貨識別部１０１が設けられている。また、入金搬送部１０３による硬貨の搬送および出金搬送部１０８による硬貨の搬送が並行して行われる場合において、出金搬送部１０８により硬貨収納部１０６から硬貨払出部１１６に送られている硬貨の金種が硬貨識別部１０１により識別されたときにこの識別された硬貨が分岐部１０４により入金搬送部１０３から出金搬送部１０８に分岐させられて硬貨払出部１１６に送られるようになっている。入金搬送部１０３による硬貨の搬送および出金搬送部１０８による硬貨の搬送を並行して行うにあたり、硬貨払出部１１６に搬送された硬貨を操作者が当該硬貨払出部１１６から取り出した後にそのまま硬貨受入部１１４に誤って投入してしまう場合があるが、このような場合には硬貨受入部１１４に投入された硬貨を再び硬貨払出部１１６に送ることにより、当該硬貨が硬貨収納部１０６に収納されてしまうことを防止することができるようになる。
【００７４】
また、本実施の形態の貨幣釣銭機（貨幣処理装置）においては、上述したように、硬貨識別部１０１により搬送異常または識別異常であると識別された硬貨が硬貨払出部１１６に送られるようになっている。このことにより、硬貨識別部１０１により搬送異常または識別異常であると識別された硬貨が硬貨収納部１０６に収納されてしまうことを防止することができるようになる。また、硬貨識別部１０１により硬貨の搬送異常が識別されたときには自動で異常解除が行われて入金搬送部１０３による硬貨の搬送を再び行わせることができるようになっている。硬貨識別部１０１により搬送異常であると識別された硬貨は識別異常ではないため、自動で異常解除を行うことにより、硬貨受入部１１４に再投入された硬貨を硬貨収納部１０６へ収納させることができるようになる。
【００７５】
また、本実施の形態の貨幣釣銭機（貨幣処理装置）においては、上述したように、硬貨釣銭機制御部１３０は、複数の硬貨収納部１０６のうち収納されている硬貨の在高が不確定である硬貨収納部１０６のみについて、当該硬貨収納部１０６から出金搬送部１０８により硬貨払出部１１６に硬貨を送る動作および硬貨受入部１１４に投入された硬貨を入金搬送部１０３により当該硬貨収納部１０６に送る動作を並行して行わせるよう入金搬送部１０３および出金搬送部１０８を制御するようになっていてもよい。この場合には、複数の硬貨収納部１０６のうち収納されている硬貨の在高が不確定である硬貨収納部１０６のみについて硬貨の精査処理を短時間で行うことができるようになる。
【００７６】
なお、上述したように、変形例に係る紙幣釣銭機において、紙幣受入部に受け入れられた紙幣を紙幣収納部に送る入金搬送部および紙幣収納部から紙幣払出部に紙幣を送る出金搬送部が別々に設けられている場合には、上記の硬貨釣銭機１００における硬貨の精査処理に関する様々な技術的事項を紙幣釣銭機における紙幣の精査処理に適用することができる。具体的には、変形例に係る紙幣釣銭機において、各紙幣収納部に収納されている紙幣を金種毎に出金する動作、および出金された紙幣を再入金して紙幣識別部により識別させた後に各紙幣収納部に金種毎に収納させる動作を並行して行うことができるようになる。この場合には、変形例に係る紙幣釣銭機に設けられた紙幣釣銭機制御部は、特定指令受付手段１４０が特定の指令を受け付けたときに、入金搬送部による紙幣の搬送および出金搬送部による紙幣の搬送を並行して行わせるよう入金搬送部および出金搬送部を制御するようになる。
【００７７】
なお、本実施の形態による貨幣釣銭機（貨幣処理装置）は、上述したような態様に限定されることはなく、様々な変更を加えることができる。
【００７８】
例えば、図２および図３に示すような構成の硬貨釣銭機１００において、分岐部１０４により入金搬送部１０３から分岐させられた硬貨を硬貨受入部１１４に戻す第１バイパス経路が設けられていてもよい。この場合には、硬貨の精査処理が行われる際に、硬貨識別部１０１により搬送異常または識別異常であると識別された硬貨が分岐部１０４により入金搬送部１０３から分岐させられて上記の第１バイパス経路により硬貨受入部１１４に戻されるようになる。このことにより、硬貨識別部１０１により搬送異常または識別異常であると識別された硬貨が硬貨収納部１０６に収納されてしまうことを防止することができるようになる。また、硬貨識別部１０１により硬貨の搬送異常が識別されたときには自動で異常解除が行われて入金搬送部１０３による硬貨の搬送を再び行わせることができるようになっている。硬貨識別部１０１により搬送異常であると識別された硬貨は識別異常ではないため、自動で異常解除を行うことにより、上記の第１バイパス経路により硬貨受入部１１４に戻された硬貨を硬貨収納部１０６へ収納させることができるようになる。
【００７９】
また、図２および図３に示すような構成の硬貨釣銭機１００において、分岐部１０４により入金搬送部１０３から分岐させられた硬貨を入金搬送部１０３における硬貨識別部１０１よりも上流側の箇所に戻す第２バイパス経路が設けられていてもよい。この場合には、硬貨の精査処理が行われる際に、硬貨識別部１０１により搬送異常または識別異常であると識別された硬貨が分岐部１０４により入金搬送部１０３から分岐させられて上記の第２バイパス経路により入金搬送部１０３における硬貨識別部１０１よりも上流側の箇所に戻されるようになる。このことにより、硬貨識別部１０１により搬送異常または識別異常であると識別された硬貨が硬貨収納部１０６に収納されてしまうことを防止することができるようになる。また、硬貨識別部１０１により硬貨の搬送異常が識別されたときには自動で異常解除が行われて入金搬送部１０３による硬貨の搬送を再び行わせることができるようになっている。硬貨識別部１０１により搬送異常であると識別された硬貨は識別異常ではないため、自動で異常解除を行うことにより、上記の第２バイパス経路により入金搬送部１０３における硬貨識別部１０１よりも上流側の箇所に戻された硬貨を硬貨収納部１０６へ収納させることができるようになる。
【００８０】
また、別の変形例に係る貨幣釣銭機として図７および図８に示すような構成のものが用いられてもよい。図７は、変形例に係るレジユニット１８ａにおける貨幣釣銭機（貨幣処理装置）の構成を示す斜視図であり、図８は、図７に示すレジユニット１８ａの制御系の構成を示す機能ブロック図である。図７および図８に示すような変形例に係るレジユニット１８ａにおける硬貨釣銭機１００ａは、図２および図３に示すような構成の硬貨釣銭機１００と比較して、硬貨払出部１１６の底部分が開閉可能となっているとともに回収部１１８ａ（本発明では、第１回収部という）が硬貨払出部１１６の下部に着脱自在になっている点が異なるのみであり、他の構成については図２および図３に示すような構成の硬貨釣銭機１００と略同一となっている。ここで、図７および図８に示すような変形例に係るレジユニット１８ａにおける硬貨釣銭機１００ａを説明するにあたり、図２および図３に示すような構成の硬貨釣銭機１００と同じ構成部材については同じ参照符号を付けてその説明を省略する。
【００８１】
図７に示すように、変形例に係る硬貨釣銭機１００ａにおける硬貨払出部１１６の底部分に開口が形成されているとともにこの開口を開閉するシャッタ１１６ｂが設けられている。また、硬貨払出部１１６の下部に着脱自在に取り付けられる回収部１１８ａの上面は開口しており、この回収部１１８ａが硬貨払出部１１６の下部に取り付けられるとともにシャッタ１１６ｂが開かれているときに、出金搬送部１０８により硬貨払出部１１６に送られた硬貨は当該硬貨払出部１１６の底部に形成された開口から落下して回収部１１８ａに送られるようになる。また、回収部１１８ａにおける硬貨の収納量は硬貨払出部１１６における硬貨の収納量よりも多くなっている。
【００８２】
また、変形例に係る硬貨釣銭機１００ａには、回収部１１８ａが硬貨払出部１１６に装着されているか否かを検知する装着検知部１１９ａ（本発明では、第１装着検知部という）が当該硬貨払出部１１６に設けられている（図８参照）。そして、硬貨釣銭機制御部１３０は、特定指令受付手段１４０が特定の指令を受け付けたときに、回収部１１８ａが硬貨払出部１１６に装着されていないことが装着検知部１１９ａにより検知された場合には出金搬送部１０８を動作させないようになっている。
【００８３】
このような変形例に係る硬貨釣銭機１００ａによれば、硬貨の精査処理を行う際に回収部１１８ａを硬貨払出部１１６の下部に取り付けることにより、各硬貨収納部１０６から金種毎に筐体１１０の外部に投出された硬貨を回収部１１８ａに収納させることができる。このため、各硬貨収納部１０６から出金搬送部１０８により筐体１１０の外部に投出された硬貨を再入金する際に、回収部１１８ａを硬貨払出部１１６から取り外してこの回収部１１８ａを硬貨受入部１１４の近傍に移動させ、回収部１１８ａを傾けることにより当該回収部１１８ａに収納されている硬貨を硬貨受入部１１４に入れることにより、各硬貨収納部１０６から筐体１１０の外部に投出されて回収された硬貨の取り置きスペースを省略することができ、また、操作者の作業負荷を軽減することができ、さらに操作者の手が硬貨により汚れたり爪が割れてしまったりすることを防止することができるようになる。また、回収部１１８ａにおける硬貨の収納量が硬貨払出部１１６における硬貨の収納量よりも多くなっているため、各硬貨収納部１０６から金種毎に筐体１１０の外部に投出される硬貨の量が多い場合でも、回収部１１８ａに硬貨を収納させることができるようになる。また、硬貨釣銭機制御部１３０は、特定指令受付手段１４０が特定の指令を受け付けたときに、回収部１１８ａが硬貨払出部１１６に装着されていないことが装着検知部１１９ａにより検知された場合には出金搬送部１０８を動作させないようになっているため、硬貨の精査処理が行われる際に回収部１１８ａが硬貨払出部１１６に装着されていないのに出金搬送部１０８から硬貨払出部１１６に硬貨が送られてしまいこの硬貨払出部１１６の底部分に形成された開口から硬貨が飛散してしまうことを防止することができるようになる。
【００８４】
なお、図７および図８に示すような変形例に係る硬貨釣銭機１００ａにおいて、硬貨払出部１１６の底部分に開口が形成される代わりに当該硬貨払出部１１６の側面に開口が形成されるようになっていてもよい。この場合には、硬貨払出部１１６の側面に形成された開口を開閉するシャッタが設けられるとともに、硬貨払出部１１６の側部に回収部１１８ａが着脱自在に取り付けられるようになる。また、硬貨払出部１１６の底部は、当該硬貨払出部１１６の側面の開口から見て上方側に傾斜するようになっている。このことにより、出金搬送部１０８により硬貨払出部１１６に送られた硬貨は当該硬貨払出部１１６の底部の傾斜によってこの硬貨払出部１１６の側面の開口側に移動するようになり、この開口を介して硬貨は硬貨払出部１１６から当該硬貨払出部１１６の側部に取り付けられた回収部１１８ａに送られるようになる。
【００８５】
また、更に別の変形例に係る貨幣釣銭機として図９および図１０に示すような構成のものが用いられてもよい。図９は、更に別の変形例に係るレジユニット１８ｂにおける貨幣釣銭機（貨幣処理装置）の構成を示す斜視図であり、図１０は、図９に示すレジユニット１８ｂの制御系の構成を示す機能ブロック図である。図９および図１０に示すような更に別の変形例に係るレジユニット１８ｂにおける硬貨釣銭機１００ｂは、図２および図３に示すような構成の硬貨釣銭機１００と比較して、硬貨払出部１１６が筐体１１０に着脱自在となっているとともに、筐体１１０における硬貨払出部１１６を取り外した箇所に回収部１１８ｂ（本発明では第２回収部という）が着脱自在に装着可能となっている点が異なるのみであり、他の構成については図２および図３に示すような構成の硬貨釣銭機１００と略同一となっている。ここで、図９および図１０に示すような更に別の変形例に係るレジユニット１８ｂにおける硬貨釣銭機１００ｂを説明するにあたり、図２および図３に示すような構成の硬貨釣銭機１００と同じ構成部材については同じ参照符号を付けてその説明を省略する。
【００８６】
図９に示すような構成の硬貨釣銭機１００ｂでは、筐体１１０から硬貨払出部１１６が取り外されるとともに（図９における二点鎖線参照）筐体１１０における硬貨払出部１１６を取り外した箇所に回収部１１８ｂが装着されているときに、出金搬送部１０８によって各硬貨収納部１０６から筐体１１０の外部に搬送される硬貨は回収部１１８ｂに送られるようになる。また、このような硬貨釣銭機１００ｂでは、回収部１１８ｂにおける硬貨の収納量は硬貨払出部１１６における硬貨の収納量よりも多くなっている。
【００８７】
また、更に別の変形例に係る硬貨釣銭機１００ｂには、回収部１１８ｂが筐体１１０に装着されているか否かを検知する装着検知部１１９ｂ（本発明では、第２装着検知部という）が当該筐体１１０に設けられている（図１０参照）。そして、硬貨釣銭機制御部１３０は、特定指令受付手段１４０が特定の指令を受け付けたときに、回収部１１８ｂが筐体１１０に装着されていないことが装着検知部１１９ｂにより検知された場合には出金搬送部１０８を動作させないようになっている。
【００８８】
このような更に別の変形例に係る硬貨釣銭機１００ｂによれば、硬貨の精査処理を行う際に筐体１１０から硬貨払出部１１６を取り外すとともに筐体１１０における硬貨払出部１１６を取り外した箇所に回収部１１８ｂを装着することにより、各硬貨収納部１０６から出金搬送部１０８により金種毎に筐体１１０の外部に投出された硬貨を回収部１１８ｂに収納させることができる。このため、各硬貨収納部１０６から出金搬送部１０８により筐体１１０の外部に投出された硬貨を筐体１１０に再入金する際に、回収部１１８ｂを筐体１１０から取り外してこの回収部１１８ｂを硬貨受入部１１４の近傍に移動させ、回収部１１８ｂを傾けることにより当該回収部１１８ｂに収納されている硬貨を硬貨受入部１１４に入れることにより、各硬貨収納部１０６から筐体１１０の外部に投出されて回収された硬貨の取り置きスペースを省略することができ、また、操作者の作業負荷を軽減することができ、さらに操作者の手が硬貨により汚れたり爪が割れてしまったりすることを防止することができるようになる。また、回収部１１８ｂにおける硬貨の収納量が硬貨払出部１１６における硬貨の収納量よりも多くなっているため、各硬貨収納部１０６から金種毎に筐体１１０の外部に投出される硬貨の量が多い場合でも、回収部１１８ｂに硬貨を収納させることができるようになる。また、硬貨釣銭機制御部１３０は、特定指令受付手段１４０が特定の指令を受け付けたときに、回収部１１８ｂが筐体１１０に装着されていないことが装着検知部１１９ｂにより検知された場合には出金搬送部１０８を動作させないようになっているため、硬貨の精査処理が行われる際に筐体１１０から硬貨払出部１１６が取り外された後に回収部１１８ｂが筐体１１０に装着されていないのに出金搬送部１０８から筐体１１０の外部に硬貨が送られてしまい筐体１１０における硬貨払出部１１６が取り外された箇所から硬貨が飛散してしまうことを防止することができるようになる。
【符号の説明】
【００８９】
１０      店舗
１２      フロント領域
１４      商品棚
１６      精算所
１８、１８ａ  レジユニット
２０      バックヤード領域
２２      売上入金機
１００、１００ａ、１００ｂ  硬貨釣銭機
１０１    硬貨識別部
１０３    入金搬送部
１０４    分岐部
１０６    硬貨収納部
１０８    出金搬送部
１１０    筐体
１１２    操作表示部
１１４    硬貨受入部
１１４ａ  残留検知センサ
１１６    硬貨払出部
１１６ａ  抜き取り検知センサ
１１６ｂ  シャッタ
１１８ａ、１１８ｂ  回収部
１１９ａ、１１９ｂ  装着検知部
１２０    上位制御部
１３０    硬貨釣銭機制御部
１３２    インターフェース
１３４    記憶部
１４０    特定指令受付手段
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
３００    ＰＯＳレジスタ
３０２    表示部
３０２ａ  追加の表示部
３０４    操作部
３３０    ＰＯＳ制御部
３３２    インターフェース
３３４    記憶部
３３６    カードリーダライタ
３３８    印字部
３５０    バーコードスキャナ
５００    店舗サーバ
【図１】
2017054219.tif 000003
【図２】
2017054219.tif 000004
【図３】
2017054219.tif 000005
【図４】
2017054219.tif 000006
【図５】
2017054219.tif 000007
【図６】
2017054219.tif 000008
【図７】
2017054219.tif 000009
【図８】
2017054219.tif 000010
【図９】
2017054219.tif 000011
【図１０】
2017054219.tif 000012